(57)【要約】【課題】熱定着を行なう両面画像形成装置において、熱定着によって記録媒体が持つこととなる熱を起因とする画質欠陥を抑制できるようにする。【解決手段】マーキングユニット３２の転写部３３２と両面搬送路５１０の再帰搬送路形成部材５１２との間に形成される空間にダクト６１０を設ける。ダクト６１０に対しては、ダクト６２０を設けて、空洞内に空気の流れを強制的に形成し、また、相対的に低温の筐体外の空気を取り込む。ダクト６１０内の空気による冷却作用によって、熱定着された片面記録済みの記録媒体やこの記録媒体の熱で暖められた再帰搬送路形成部材５１２を冷却できる。断熱作用によって、それらの熱がマーキングユニット３２の転写部３３２に伝達されるのを抑制できる。その結果、熱定着された片面記録済みの記録媒体がマーキングユニット３２の近傍を通過することで、熱定着によって記録媒体が持つこととなる熱を起因とする画質欠陥を抑制できる。【選択図】図２
2008170695.tif 000002
【特許請求の範囲】
【請求項１】
記録媒体に記録を行なう記録部と、
前記記録部によって前記記録媒体に記録された画像を、熱を利用して処理する熱処理部と、
前記記録部の鉛直方向下方に位置し、前記熱処理部を通過した前記記録媒体を前記記録部に再帰搬送する再帰搬送路と、
前記記録部と前記再帰搬送路との間に配置されて前記再帰搬送路に近接した、空気を導く導風路と、
を有することを特徴とする記録装置。
【請求項２】
前記再帰搬送路の構成部材の、前記導風路に面した部分に設けられた第１の開口部と、
前記第１の導風路の、前記再帰搬送路に面した部分に設けられた第２の開口部と、
を有することを特徴とする、請求項１記載の記録装置。
【請求項３】
前記導風路内に空気流を発生させる第１の空気流発生手段を有することを特徴とする、請求項１又は２記載の記録装置。
【請求項４】
前記第１の空気流発生手段は、前記導風路より空気を吸い出すよう構成されてなることを特徴とする、請求項３記載の記録装置。
【請求項５】
前記画像形成部と前記第１の導風路との間に配され、その内部に空洞が形成される空洞部材を備えることを特徴とする、請求項１乃至４いずれか１項に記載の記録装置。
【請求項６】
前記空洞部材内に空気流を発生させる第２の空気流発生手段を有することを特徴とする、請求項５記載の記録装置。
【請求項７】
前記第１の空気流発生手段は、前記第２の空気流発生手段を兼ねることを特徴とする、請求項６記載の記録装置。
【請求項８】
前記記録部は、画像を保持する像保持体および前記像保持体上に形成された画像を記録媒体に転写する転写部を有する画像形成部であり、
前記熱処理部は、前記転写部によって前記記録媒体に転写された画像を、熱を利用して前記記録媒体に定着させる定着部であることを特徴とする、請求項１乃至７いずれか１項に記載の画像形成装置。
【発明の詳細な説明】
【技術分野】
【０００１】
本発明は、記録装置および画像形成装置に関する。
【背景技術】
【０００２】
会社や家庭などにおいて、用紙（記録紙とも称される）やＯＨＰ（OverHead Projector）シートなどの記録媒体に画像を形成するレーザプリンタや複写装置などの画像形成装置が広く使用されている。また画像形成装置の中には、記録媒体の両面に画像を形成可能（両面印刷可能と称する）なもの（以下両面画像形成装置とも称する）が存在する。
【０００３】
電子写真方式の両面画像形成装置では、一般に、記録媒体を装置の画像形成部や転写部や画像出力部などと称される画像形成部に送って記録媒体の片面（表面と称する）に画像を転写し、さらに熱および加圧によって定着（以下熱定着と称する）させた後、この片面記録済みの記録媒体の表裏を逆転させて、両面搬送路や反転搬送路などと称される搬送路を介して再度画像形成部に送って、もう一方の面（裏面と称する）に画像を転写することによって、記録媒体の両面に画像を形成するようにしている（たとえば特許文献１を参照）。
【０００４】
【特許文献１】特開２０００−１９８５７４号公報
【発明の開示】
【発明が解決しようとする課題】
【０００５】
本発明は、再帰搬送部を有する記録装置において、記録部が再帰搬送路を通過する記録媒体の影響を受け難くすることを目的とする。
【課題を解決するための手段】
【０００６】
請求項１に記載の発明は、記録媒体に記録を行なう記録部と、前記記録部によって前記記録媒体に記録された画像を、熱を利用して処理する熱処理部と、前記記録部の鉛直方向下方に位置し、前記熱処理部を通過した前記記録媒体を前記記録部に再帰搬送する再帰搬送路と、前記記録部と前記再帰搬送路との間に配置され、前記再帰搬送路に近接した導風路とを有することを特徴とする記録装置である。
【０００７】
請求項２に記載の発明は、請求項１に記載の発明においてさらに、前記再帰搬送路の構成部材の、前記導風路に面した部分に設けられた第１の開口部と、前記第１の導風路の、前記再帰搬送路に面した部分に設けられた第２の開口部とを有することを特徴とする。
【０００８】
請求項３に記載の発明は、請求項１又は２の発明においてさらに、前記導風路内に空気流を発生させる第１の空気流発生手段を有することを特徴とする。
【０００９】
請求項４に記載の発明は、請求項３に記載の発明においてさらに、前記第１の空気流発生手段が、前記導風路より空気を吸い出すよう構成されてなることを特徴とする。
【００１０】
請求項５に記載の発明は、請求項１ないし４いずれか１項に記載の発明においてさらに、前記画像形成部と前記第１の導風路との間に配され、その内部に空洞が形成される空洞部材を備えることを特徴とする。
【００１１】
請求項６に記載の発明は、請求項５に記載の発明においてさらに、前記空洞部材内に空気流を発生させる第２の空気流発生手段を有することを特徴とする。
【００１２】
請求項７に記載の発明は、請求項６に記載の発明においてさらに、前記第１の空気流発生手段が、前記第２の空気流発生手段を兼ねることを特徴とする。
【００１３】
請求項８に記載の発明は、請求項1ないし７いずれかに記載の発明において、前記記録部が、画像を保持する像保持体および前記像保持体上に形成された画像を記録媒体に転写する転写部を有する画像形成部であり、前記熱処理部が、前記転写部によって前記記録媒体に転写された画像を、熱を利用して前記記録媒体に定着させる定着部である画像形成装置であることを特徴とする。
【発明の効果】
【００１４】
請求項１に記載の発明によれば、導風路内の空気によって冷却作用や断熱作用を得ることが出来、本構成を有していない場合に比較して再帰搬送路を通過する記録媒体が記録部に与える影響を軽減することが出来る。
【００１５】
請求項２に記載の発明によれば、記録媒体が再帰搬送路を通過する際、熱処理部から受けた熱や発生する水蒸気などを、導風路より排出することが出来、記録部に与える影響を更に低減することが出来る。
【００１６】
請求項３に記載の発明によれば、導風路内に積極的な空気流を発生させることで、更に効果的に記録部に与える影響を低減出来る。
【００１７】
請求項４に記載の発明によれば、導風路内を再帰搬送路に対して気圧の低い状態にすることで、記録媒体の熱や水蒸気などを積極的に吸引することが出来る。
【００１８】
請求項５に記載の発明によれば、記録媒体からの熱で暖められた導風路と記録部との間に配置した空洞部材により、記録部に対する影響を更に低減出来る。
【００１９】
請求項６に記載の発明によれば、空洞部内に積極的な空気流を発生させることで、請求項５の発明に対しても更に一層、記録部に対する影響を低減出来る。
【００２０】
請求項７に記載の発明によれば、本構成を有していない場合に比較して、装置を小型かつ低コストにしつつ、冷却効果を高めることができる。
【００２１】
請求項８に記載の発明によれば、本構成を有していない場合に比較して、画像形成装置における再帰搬送路内の記録媒体からの熱及び水蒸気による画像形成部にへの影響を低減することが出来る。
【発明を実施するための最良の形態】
【００２２】
図面を参照して本発明の実施形態について詳細に説明する。なお、以下においては、記録装置として印刷（プリンタ）機能や複写（コピー）機能などを複合的に備える電子写真方式の画像形成装置を使用した場合を例に説明する。ただしこれは一例であって、対象となる記録装置は電子写真方式の画像形成装置に限らない。用紙（記録紙）やＯＨＰシートなどの記録媒体に記録する機能を備え、再帰搬送路を有する装置の全てに、後述する全ての実施形態が同様に適用できる。一例として、本発明の記録装置は、インク乾燥機構を有するインクジェット方式の記録装置であってもよい。
【００２３】
画像出力端末１は、本発明に係る画像形成装置の一例であって、たとえば複写機能、ページプリンタ機能、およびファクシミリ送受信機能を備えたいわゆる複合機（マルチファンクション機）で、デジタルプリント装置として構成されている。
【００２４】
この画像出力端末１は、大まかに、原稿を読み取る画像読取部１０、入力された画像データに対して所望の画像処理を施す画像処理機能と端末全体の動作を制御する制御機能とを備えたコントローラ部２０、およびコントローラ部２０からの画像データに基づいて所定の記録媒体に可視画像を形成して出力する画像出力部３０、および内蔵の給紙トレイ８２あるいは手差しトレイ８３の内の何れかから印刷用紙やＯＨＰシートなどの記録媒体（以下「用紙」で代表的に記述する）を画像出力部３０に搬送する給紙部８０を備える。
【００２５】
以下、第１実施形態（第１例）の画像出力部３０における本発明の構成について具体的に説明する。
【００２６】
図示のように、第１実施形態（第１例）の画像出力部３０は、画像読取部１０で読み取られた画像データや接続ケーブル９０を介して取得した印刷データなどに基づいて所定のプロセススピードで搬送されている用紙上に画像を形成する記録部としてのマーキングユニット３２と、熱処理部としての定着ユニット３３、再帰搬送路を含む両面複写ユニット３４とを備える。
【００２７】
マーキングユニット３２としては、本実施形態では、電子写真プロセスを用いて画像を形成する方式のものを採用している。具体的には、マーキングユニット３２は、光導電性感光層を有しトナーで形成された画像（以下トナー像と称する）を担持する像担持体の一例である感光体ドラム３１２を主要要素として備える感光体ユニット３１０と、感光体ドラム３１２を一様帯電する帯電器３１４と、入力された画像情報に基づいてレーザ光で感光体ドラム３１２上を露光して潜像を形成する露光手段である書込走査ユニット３１６とを有する。
【００２８】
また、マーキングユニット３２は、感光体ドラム３１２上の潜像を現像してトナー像を形成する現像ユニット３２０と、感光体ドラム３１２上に担持されたトナー像を搬送されている用紙上に転写する転写部３３２、トナー像が転写された用紙を感光体ドラム３１２上から分離する分離部、および搬送路などを具備する転写ユニット３３０と、用紙に転写された後に感光体ドラム３１２上に残留したトナーを除去するクリーニング手段としての清掃ユニット３４０とを有する。
【００２９】
帯電器３１４、書込走査ユニット３１６、現像ユニット３２０、転写ユニット３３０、および清掃ユニット３４０は、感光体ドラム３１２の周囲に配置されている。そして、画像出力部３０は、転写ユニット３３０の排紙ユニット３６側に、先ず、定着ユニット３３を備え、さらに定着ユニット３３の排紙ユニット３６側に、片面印刷済み用紙をそのまま排紙ユニット３６側に搬送するのか両面複写ユニット３４側に搬送するのかを切り替える搬送経路切替部３５０を備える。
【００３０】
感光体ドラム３１２の周囲に配される各部の内、転写ユニット３３０は、感光体ユニット３１０の下部に配置されている。また、転写ユニット３３０および定着ユニット３３の下部に両面複写ユニット３４が配置されている。
【００３１】
また、図２では図示を割愛するが、図１に示したように、両面複写ユニット３４の下部には、複数枚の用紙を積層状態で収納可能な給紙トレイ８２が配置されている。給紙トレイ８２から搬送されてきた用紙は、図面の左下側から、感光体ユニット３１０の感光体ドラム３１２と転写ユニット３３０（詳細には転写部３３２）との間に形成される転写領域Ａに送り込まれる。
【００３２】
このような構成において、感光体ドラム３１２は、図示を割愛したモータや歯車、プーリなどの駆動手段によって、矢示の方向に回転し、帯電器３１４による一様帯電、用紙の先端に同期して露光が開始された書込走査ユニット３１６による潜像形成、現像ユニット３２０による現像がなされて、入力された画像情報に基づいたトナー像が感光体ドラム３１２上に形成される。
【００３３】
感光体ドラム３１２上に形成されたトナー像は、搬送路を介して感光体ドラム３１２と転写ユニット３３０との間に形成される転写領域Ａまで搬送されてきた用紙上に転写ユニット３３０によって転写される。
【００３４】
トナー像が転写された用紙は、さらに転写ユニット３３０に付設されている分離器（図示を割愛する）によって感光体ドラム３１２上から分離され、定着ユニット３３へと搬送され、そこで、加熱並びに加圧により、トナー像が用紙に定着される。
【００３５】
一方、トナー像が用紙へ転写された感光体ドラム３１２は、さらに回転を続け、清掃ユニット３４０によって感光体ドラム３１２上に残留したトナーが除去され、次の画像形成の準備がなされる。
【００３６】
画像出力部３０における図面の左側に示すように、給紙トレイ８２から転写領域Ａまでの間には、各種の搬送ローラ（１つのものと対のものの何れをも含む）４１８などを具備して構成され、給紙トレイ８２や手差しトレイ８３から転写領域Ａへと用紙を搬送する搬送手段の一例である給紙搬送路４１０（概ね図中の両端矢指の範囲）が設けられている。
【００３７】
搬送ローラ４１８は、１つとは限らず複数が設けられることもある。図においては、それぞれの符号の後に小文字の英語の参照子を付して示す。文中説明では、それらを区別して言うときにはその参照子を付して記すが、特段の区別を要しない場合には、その参照子を付けずに記す。後述する搬送経路切替部３５０や両面搬送路５１０の搬送ローラにおいても同様である。
【００３８】
たとえば、第１実施形態（第１例）給紙搬送路４１０は、図示を割愛した給紙部８０や両面搬送路５１０から搬送された用紙を搬送するループ形成手段である一対のループ形成ローラ４１８ａと、ループ形成ローラ４１８ａにより搬送された用紙が一旦突き当てられた後搬送を再開させる突当て手段であるレジストローラ４１８ｂとを有している。
【００３９】
ループ形成ローラ４１８ａとレジストローラ４１８ｂとにより、搬送される用紙にループを形成して紙曲がりを修正する曲がり修正手段が構成されるようになっている。好ましくは、図示のように、ループ形成を確実に行わせるために、ループ形成ローラ４１８ａとレジストローラ４１８ｂとの間や近傍に、用紙の搬送を案内する案内部材として、ループ形成ガイド４２０，４２２を備えることが好ましい。
【００４０】
ループ形成ガイド４２０，４２２は、その断面形状を山形に構成しており、このループ形成ガイド４２０，４２２に沿ったループ形状に用紙を案内するループ形成ガイドとして機能させている。
【００４１】
搬送経路切替部３５０は、各種の搬送ローラ（１つのものと対のものの何れをも含む）３５８などを具備して構成され、定着ユニット３３による定着済みの片面印刷済み用紙を両面複写ユニット３４側に搬送する再給紙手段の一部を構成する。
【００４２】
両面印刷時に使用される両面複写ユニット３４は、片面に画像が形成された片面印刷済み用紙を表裏反転して再び感光体ドラム３１２と現像ユニット３２０との間の転写領域Ａに搬送する再給紙手段の主要部を構成する。
【００４３】
両面複写ユニット３４は、再帰搬送路として、再帰経路形成部材５１２や各種の搬送ローラ（１つのものと対のものの何れをも含む）５１８などを具備して構成され、搬送経路切替部３５０から搬送されてきた片面印刷済み用紙を給紙搬送路４１０側へと搬送する搬送手段の一例である両面搬送路５１０（概ね図中の両端矢指の範囲）を備えている。
【００４４】
再帰搬送経路形成部材５１２は、搬送ローラ５１８ｂ〜５１８ｄによって搬送される用紙を給紙搬送路４１０へと導く役割を負っている。
【００４５】
搬送経路切替部３５０と両面複写ユニット３４とによって、転写領域Ａで画像が形成された用紙を転写領域Ａに再給紙するための構成部が形成されることになる。搬送経路切替部３５０は、定着ユニット３３によりトナー像が定着され排出された片面印刷済み用紙をそのまま排紙ユニット３６側に排出する場合と、両面印刷用に両面複写ユニット３４側に搬送する場合とで搬送路を切り替える。
【００４６】
画像出力部３０における図面の右下側に示すように、搬送経路切替部３５０と両面複写ユニット３４との間には、用紙の表裏を反転させる反転部の一例である用紙反転機構３６０（概ね図中の両端矢指の範囲）が形成されるようになっている。
【００４７】
画像形成された用紙（片面印刷済み用紙と両面印刷済み用紙の双方を含む）をそのまま、すなわち、画像形成された面を上側にして排出する場合は、搬送経路切替部３５０は、機外の排紙ユニット３６へと用紙を直ちに排出する。
【００４８】
また、画像形成された用紙の表裏を反転させて排紙、すなわち、画像形成された面を下側にして排出する場合は、搬送経路切替部３５０は、定着ユニット３３から排出された用紙を、搬送ローラ３５８ａによって一旦用紙反転機構３６０の方向へ搬送し、用紙が当該搬送経路切替部３５０を通過した後に搬送方向を逆転させて、すなわち、スイッチバックを行なわせることにより表裏反転を施し、搬送ローラ３５８ｂによって機外の排紙ユニット３６側へと排出する。
【００４９】
一方、片面印刷済み用紙の裏面に画像形成する場合は、搬送経路切替部３５０は、定着ユニット３３から排出された片面印刷済み用紙を搬送ローラ３５８ａによって用紙反転機構３６０の方向へ搬送する。そして、用紙が当該搬送経路切替部３５０を通過した後に搬送方向を逆転させて、すなわち、スイッチバックを行なわせることにより表裏反転を施し、両面複写ユニット３４の搬送ローラ５１８ａ，５１８ｂによって両面搬送路５１０側へ引き込み、さらに給紙搬送路４１０側へと搬送する。
【００５０】
両面複写ユニット３４の両面搬送路５１０上の搬送ローラ５１８ｃ，５１８ｄによって搬送された表裏反転済みの片面印刷済み用紙は、画像出力部３０における図面の左下側に示す合流部５２０にて給紙搬送路４１０に合流し、給紙トレイ８２や手差しトレイ８３からの給紙と同様に、感光体ドラム３１２と転写ユニット３３０との間に形成される転写領域Ａへと搬送される。
【００５１】
ここで、第１実施形態（第１例）の画像出力部３０は、両面複写ユニット３４における両面搬送路５１０と転写ユニット３３０との間に形成される空間部分の用紙反転機構３６０側に、導風路として長尺状のダクト６１０を備える。
【００５２】
ダクト６１０は、紙面の手前側と奥行き側に渡って配される。すなわち、両面搬送路５１０の再帰搬送路形成部材５１２の用紙搬送方向に対して概ね直交するように配置される。
【００５３】
第１実施形態（第１例）において使用するダクト６１０は、その再帰搬送路形成部材５１２側の下面が開放されており、再帰搬送路形成部材５１２をダクト６１０の一部として構成するようにしている。これにより、全体として、空気の流れを積極的に形成可能な概ねトンネル型の構造を持つ導風路が形成される。
【００５４】
また、第１実施形態（第１例）の画像出力部３０は、長尺状のダクト６１０の何れか一方もしくは両方の端部には、必要に応じて、ダクト６１０内に空気の流れを積極的に形成して放熱機能や断熱機能を作用させるための強制対流手段としてファン６３０を備える（詳細は後述する図３を参照）。ファン６３０によって、空洞内に空気の流れを強制的に形成し、あるいは、相対的に低温のファン６３０の筐体外の空気（単に外気と称する）を積極的に導風路に取り込むのである。
【００５５】
ここで、「必要に応じて」とは、用紙からの熱や水蒸気を強制対流装置としてのファン６３０により吸引し排気することで、転写・現像・帯電などの各ユニットの用紙熱による温度上昇や水蒸気による結露の問題を改善する用紙熱対策の効果を高めることを目的とする場合を意味する。
【００５６】
＜ファンの配置例；第１実施形態＞
図３は、導風路（ダクト６１０）および再帰搬送路との関係におけるファン６３０の配置例を説明する図である。なお、図３では、再帰搬送路としての再帰搬送路形成部材５１２との関係だけでなく、後述する第１実施形態（第２例）において使用される用紙反転機構３６０の用紙反転搬送路３６４との関係についても括弧書きで示している。
【００５７】
先ず、図３（Ａ）に示す第１の配置例および図３（Ｂ）に示す第２の配置例の何れにおいても、個別の板状部材５１４を連結して再帰搬送路形成部材を形成している。図では、その板状部材５１４の１枚を示している。
【００５８】
板状部材５１４の幅方向の両側辺の一部には、その幅方向への用紙の脱落を防止するアングル５１５が設けられている。また、板状部材５１４には、開口部５１６が形成されている。開口部５１６の形成数は必要に応じ任意であり、図では、２つの開口部５１６を、板状部材５１４（つまり再帰搬送路形成部材５１２）の幅方向に一列に配している。
【００５９】
本実施形態のダクト６１０では、図３（Ｄ）に示すように、マーキングユニット３２側の上面および両側の側面にそれぞれ壁面６１０ａ，６１０ｂ，６１０ｃを備えるのに対して、その再帰搬送路形成部材５１２を構成する板状部材５１４側の下面は開放された開口部６１０ｄを備える構造をなしている。
【００６０】
開口部６１０ｄは、両側の壁面６１０ｂ，６１０ｃの板状部材５１４側の端部を板状部材５１４とほぼ密着するように（完全に密着するか、或いは隙間ができるだけ小さくなるように近接して）配置することで、板状部材５１４をダクト６１０の一部として構成するようにしている。これにより、ダクト６１０の開口部６１０ｄが板状部材５１４で補完され、全体として、空気の流れを積極的に形成可能な概ねトンネル型の構造を持つ導風路が形成される。
【００６１】
たとえば、図３（Ａ）に示す第１の配置例においては、ダクト６１０の一方の端部（図では右側の開口部６１０ｅ）に、外気吸入用のファン６３０ａを、ダクト６１０内を流れる空気の上流側に配している。この場合、ファン６３０ａでダクト６１０内に吸引した空気を、ダクト６１０内を通して、さらにダクト６１０の他方の端部（図では左側の開口部６１０ｆ）から排出する。
【００６２】
一方、図３（Ｂ）に示す第２の配置例においては、ダクト６１０の他方の端部（図では左側の開口部６１０ｆ）に、空気排出用のファン６３０ｂを、ダクト６１０内を流れる空気の下流側に配している。この場合、ファン６３０ｂが設けられている端部とは反対側の端部（図では右側の開口部６１０ｅ）から外気をダクト６１０内に吸引し、ダクト６１０内を通して、さらにファン６３０ｂで排出する。この配置では、ダクト６１０内がその他の部分に比べて負圧となるため、再帰搬送路内の空気がダクト６１０内に積極的に引き込まれるようになる。この場合、右側の開口部６１０ｅに画像形成装置外より空気が流入するように構成すると、更に効果的である。
【００６３】
なお、図３（Ｃ）に示す第３の配置例のように、図３（Ａ）に示す第１の配置例と図３（Ｂ）に示す第２の配置例とを組み合わせて、ダクト６１０の一方の端部（図では右側の開口部６１０ｅ）に外気吸入用のファン６３０ａを設け、またダクト６１０の他方の端部（図では左側の開口部６１０ｆ）に空気排出用のファン６３０ｂを設ける構成としてもよい。
【００６４】
図３（Ａ）に示す第１の配置例、図３（Ｂ）に示す第２の配置例、および図３（Ｃ）に示す第３の配置例の何れにおいても、ファン６３０ａ，６３０ｂで強制的に吸引した外気をダクト６１０内に流すことで、つまり用紙搬送方向と垂直方向に冷却空気を流すことで、ダクト６１０の開口面側を通過する片面印刷済み用紙や、ダクト６１０の開口面側を通過するあるいは固定配置されている板状部材５１４の表面にその外気を吹きつけ、片面印刷済み用紙や板状部材５１４（つまり再帰搬送路形成部材５１２）を冷却する。この冷却作用によって暖められたダクト６１０内の空気は、他方の端部（図では左側の端部）から排出される。また片面印刷済み用紙から発せられる水蒸気をダクト６１０内の空気とともに排出する。
【００６５】
また、板状部材５１４には開口部５１６が形成されており、その開口部５１６を通じてダクト６１０内の空気と再帰搬送路５１０内の空気が流通できるよう構成されている。
【００６６】
なお、本実施例ではファン６３０を設けているが、ダクト６１０と再帰搬送路形成部材５１２（詳細には板状部材５１４）とで形成される導風路内の空気の流れによる熱排出を利用して、片面印刷済み用紙の熱を吸引したり、再帰搬送路形成部材５１２（詳細には板状部材５１４）を冷却したり、片面印刷済み用紙や板状部材５１４からの熱を断熱したりするに当たっては、ファン６３０を設けることは必須ではない。
【００６７】
ダクト６１０の長尺状の両端部に開口部６１０ｅ，６１０ｆが設けられる。この開口部６１０ｅ，６１０ｆを設けておくだけでも、画像形成装置内の空気流や空気の温度差などによって自然にダクト６１０内を空気が流れるようになり、熱排出による冷却作用や断熱作用を得ることができるからである。
【００６８】
＜第１実施形態；用紙反転搬送路＞
図４は、画像出力端末１の画像出力部３０の詳細構成例の第１実施形態の第２例を示す側断面図である。第１実施形態（第２例）の画像出力部３０は、両面複写ユニット３４における印刷済み用紙が搬送される再帰搬送路として、第１実施形態（第１例）における両面搬送路５１０に代えて、用紙反転搬送路３６４をマーキングユニット３２の直下に備える点に特徴を有する。
【００６９】
第１実施形態（第２例）の画像出力部３０は、両面複写ユニット３４における印刷済み用紙が搬送される再帰搬送路として用紙反転搬送路３６４を備える構成において、その用紙反転搬送路３６４を導風路の一部として構成する点に第１の特徴を有する。このことは、第１実施形態（第２例）の画像出力部３０において、両面搬送路５１０を導風路の一部として構成する第１の特徴と同様である。
【００７０】
その他の点は概ね第１実施形態（第１例）の画像出力部３０と同様であり、第１実施形態（第１例）の画像出力部３０が有する第２および第３の特徴を同様に有する。以下、第１実施形態（第１例）の画像出力部３０との相違点を中心に説明する。なお、第１実施形態（第１例）と同様のあるいは類似する機能要素については同じ符号を付して説明する。
【００７１】
図示のように、第１実施形態（第２例）の画像出力部３０は、画像読取部１０で読み取られた画像データや接続ケーブル９０を介して取得した印刷データなどに基づいて所定のプロセススピードで搬送されている用紙上に画像を形成する電子写真プロセスを用いて画像を形成する方式のマーキングユニット３２と定着ユニット３３と両面複写ユニット３４とを備える。この点は、第１実施形態（第１例）と同様である。
【００７２】
第１実施形態（第２例）の画像出力部３０は、先ず、感光体ドラム３１２に形成されたトナー像が転写ユニット３３０で転写された用紙を感光体ドラム３１２上から分離した後、用紙を定着ユニット３３に搬送する搬送路５４０を、転写ユニット３３０と定着ユニット３３との間に備える。
【００７３】
また、第１実施形態（第２例）の画像出力部３０は、定着ユニット３３により排出された用紙（片面印刷済み用紙もしくは両面印刷済み用紙）をそのまま機外へ排出する場合と表裏反転させた後排出するあるいは裏面に画像形成するために再給紙する場合とで搬送路を切り替える搬送経路切替部３５０と、再給紙される用紙の表裏を反転させる用紙反転機構３６０と、用紙反転機構３６０で反転された用紙をマーキングユニット３２へ再給紙する概ね第１実施形態（第１例）の両面搬送路５１０と同様の再給紙路３７０とを有している。
【００７４】
搬送経路切替部３５０は、定着ユニット３３で定着された用紙を排紙ユニット３６側に搬送せずに、用紙反転機構３６０側へと搬送する手段の一例であり、搬送ベルト３５２と、切替えレバー３５６と、一対の搬送ローラ３５８ａ，３５８ｂ，３５８ｃとを有する。
【００７５】
用紙反転機構３６０は、スイッチバックする片面印刷済み用紙を案内する用紙案内部３６２と、用紙反転搬送路３６４と、左右回転可能の一対の搬送ローラ３６８とを有する。用紙反転搬送路３６４は、マーキングユニット３２の転写ユニット３３０の下部まで延在している。
【００７６】
再給紙路３７０には、用紙反転機構３６０によって表裏が反転されたスイッチバックした片面印刷済み用紙を再給紙路３７０を介して再度マーキングユニット３２に戻すため、各種の一対の搬送ローラ３７８が設けられている。
【００７７】
給紙搬送路４１０は、図示を割愛した給紙部８０や再給紙路３７０から搬送された用紙を搬送するループ形成手段である一対のループ形成ローラ４１８ａと、ループ形成ローラ４１８ａにより搬送された用紙が一旦突き当てられた後搬送を再開させる突当て手段である一対のレジストローラ４１８ｂと、一般的な一対の搬送ローラ４１８ｃを有する。
【００７８】
ループ形成ローラ４１８ａとレジストローラ４１８ｂとにより、搬送される用紙にループを形成して紙曲がりを修正する曲がり修正手段が構成されるようになっている。好ましくは、図示のように、ループ形成を確実に行わせるために、ループ形成ローラ４１８ａとレジストローラ４１８ｂとの間に、用紙の搬送を案内する案内部材として、上ガイドとして機能するループ形成ガイド４２０および下ガイドとして機能するループ形成ガイド４２２を備えることが好ましい。
【００７９】
ループ形成ガイド４２０は、その断面形状を山形に構成しており、このループ形成ガイド４２０に沿ったループ形状に用紙を案内するループ形成ガイドとして機能させている。そしてループ形成ガイド４２０，４２２の下流側に一対の搬送ローラ４１８ｃが設けられ、搬送ローラ４１８ｃとレジストローラ４１８ｂとの間には、用紙の搬送状態を検知する手段である光源４２６および検知部４２８が設けられている。
【００８０】
このような構成において、画像形成された用紙（片面印刷済み用紙と両面印刷済み用紙の双方を含む）をそのまま、すなわち、画像形成された面を上側にして排出する場合は、搬送経路切替部３５０は、切替えレバー３５６を定着ユニット３３側に倒して、機外の排紙ユニット３６へと用紙を直ちに排出する。
【００８１】
また、画像形成された用紙の表裏を反転させて排紙、すなわち、画像形成された面を下側にして排出する場合は、搬送経路切替部３５０は、切替えレバー３５６を排紙ユニット３６側に倒して、定着ユニット３３から排出された用紙を、一旦搬送ローラ３５８ａ，３５８ｂによって用紙反転機構３６０の方向へ搬送し、用紙が切替えレバー３５６を通過した後に搬送ローラ３５８ｂにて搬送方向を逆転させて、すなわち、スイッチバックを行なわせることにより表裏反転を施し、再度、搬送ローラ３５８ｂによって機外の排紙ユニット３６側へと排出する。つまり、第１実施形態（第２例）の搬送経路切替部３５０は、それそのものが用紙反転機構を備えている。
【００８２】
一方、片面印刷済み用紙の裏面に画像形成する場合は、搬送経路切替部３５０は、切替えレバー３５６を排紙ユニット３６側に倒して、定着ユニット３３から排出された片面印刷済み用紙を搬送ローラ３５８ａ，３５８ｂ，３５８ｃ，３５８ｄによって用紙反転機構３６０の方向へ搬送する。そして、用紙反転機構３６０の搬送ローラ３６８によって再給紙路３７０側へと引き込み、搬送ローラ３６８にて搬送方向を逆転させて、すなわち、スイッチバックを行なわせることにより表裏反転を施して再給紙路３７０側へと搬送する。
【００８３】
再給紙路３７０の各搬送ローラ３７８によって搬送されてきた表裏反転済みの片面印刷済み用紙は、画像出力部３０における図面の右下側に示す合流部５２０にて給紙搬送路４１０に合流し、給紙トレイ８２や手差しトレイ８３からの給紙と同様に、感光体ドラム３１２と転写ユニット３３０との間に形成される転写領域Ａへと搬送される。
【００８４】
ここで、第１実施形態（第２例）の画像出力部３０は、両面複写ユニット３４における用紙反転搬送路３６４と転写ユニット３３０との間に形成される空間部分に、用紙熱吸引および搬送路冷却の両機能をなす長尺状のダクト６１０を備える。
【００８５】
ダクト６１０は、紙面の手前側と奥行き側に配される。すなわち、用紙反転搬送路３６４の用紙搬送方向に対して概ね直交するように配置される。
【００８６】
第１実施形態（第２例）において使用するダクト６１０は、その用紙反転搬送路３６４側の下面が開放ており、用紙反転搬送路３６４をダクト６１０の一部として構成するようにしている。これにより、全体として、空気の流れを積極的に形成可能な概ねトンネル型の構造を持つ導風路が形成される。
【００８７】
また、第１実施形態（第２例）の画像出力部３０は、長尺状のダクト６１０の何れか一方もしくは両方の端部には、必要に応じて、ダクト６１０内に空気の流れを積極的に形成して放熱機能や断熱機能を作用させるための強制対流手段としてファン６３０を備える。この点は、第１実施形態（第１例）と同様である。
【００８８】
ダクト６１０および用紙反転搬送路３６４との関係におけるファン６３０の配置態様は、図３において括弧書きで示すように、再帰搬送路形成部材５１２を用紙反転搬送路３６４に置き換えたものと同様である。図３においての説明と同様に、用紙反転搬送路３６４には、開口部５１６に相当する開口部３６６を形成する。開口部５１６と同様に、開口部３６６の形成数は任意である。その他、用紙反転機構３６０の用紙反転搬送路３６４および開口部３６６、並びにダクト６１０およびファン６３０のなす作用効果は、第１実施形態（第１例）における場合と同様であるので、ここでは詳細な説明を割愛する。
【００８９】
＜第２実施形態；両面搬送路＞
図５は、画像出力端末１の画像出力部３０の詳細構成例の第２実施形態の第１例を示す側断面図である。第２実施形態（第１例）の画像出力部３０は、両面複写ユニット３４における印刷済み用紙が搬送される再帰搬送路として両面搬送路５１０を備える構成において、ダクト６１０のさらにマーキングユニット３２（特に転写ユニット３３０）側に、空洞部材として長尺状のダクト６２０を設ける点に特徴を有する。
【００９０】
つまり、再帰搬送路としての用紙反転搬送路３６４とマーキングユニット３２との間に形成される空間に、導風路（ダクト６１０）と空洞部材（６２０）を２層で配置する用に構成されている。
【００９１】
ダクト６２０は、ダクト６１０と同様に、紙面の手前側と奥行き側に配される。すなわち、両面搬送路５１０の再帰搬送路形成部材５１２の用紙搬送方向に対して概ね直交するように配置される。
【００９２】
ダクト６１０は、用紙や再帰搬送路の放熱作用、すなわち風洞内の空気の流れによる熱伝導および熱排出を利用した用紙熱の吸引作用や再帰搬送路の冷却作用と、ダクト６１０内の空気そのもので片面印刷済み用紙や再帰搬送路形成部材５１２の熱がマーキングユニット３２側に伝達されるのを防ぐ断熱作用を持つのに対して、本実施例のダクト６２０は、ダクト６２０内の空気そのもので片面印刷済み用紙や再帰搬送路形成部材５１２の熱がマーキングユニット３２側に伝達されるのを防ぐ断熱作用のみを持つ。但し、ダクト６１０とダクト６２０の間の空気の流通が若干あったとしても、本発明の効果を妨げるものではない。
【００９３】
また、第２実施形態（第１例）の画像出力部３０は、追加した長尺状のダクト６２０の何れか一方もしくは両方の端部には、必要に応じて、ダクト６２０内に空気の流れを積極的に形成して断熱機能を作用させるための強制対流手段としてファン６４０を備える（詳細は後述する図６を参照）。
【００９４】
ここで、「必要に応じて」とは、用紙からの熱で暖められるファン６４０内の空気を強制対流装置としてのファン６４０により排気することで、転写・現像・帯電などの各ユニットの用紙熱による温度上昇の問題を改善する用紙熱対策の効果を高めることを目的とする場合を意味する。
【００９５】
なお、第１実施形態で説明したダクト６１０に対してファン６３０を設ける場合、１つのファンがファン６３０，６４０を兼ねるように構成してもよい。つまり、１つのファン６５０が第１の空洞部材である板状部材５１４側のダクト６１０と第２の空洞部材であるマーキングユニット３２（特に転写ユニット３３０）側のダクト６２０に対して兼用されるようにしてもよい（詳細は後述する図６を参照）。
【００９６】
＜ファンの配置例；第２実施形態＞
図６は、空洞部材（ダクト６２０）および再帰搬送路との関係におけるファン６４０の配置例を説明する図である。なお、図６では、再帰搬送路としての再帰搬送路形成部材５１２との関係だけでなく、後述する第２実施形態（第２例）において使用される用紙反転機構３６０の用紙反転搬送路３６４との関係についても括弧書きで示している。なお、ここでは、ダクト６１０に対して上流側にファン６３０ａが配され、かつ下流側にファン６３０ｂが配置されている状態に対しての適用で示すが、ファン６３０ａ，６３０ｂの何れか一方のみが配置される態様と組み合わせてもよい。
【００９７】
ダクト６１０の上部（マーキングユニット３２側）に追加するダクト６２０は、たとえば図６（Ａ）に示すように、マーキングユニット３２側の上面および両側の側面並びにダクト６１０側の下面にそれぞれ壁面６２０ａ，６２０ｂ，６２０ｃ，６２０ｄを備えるようにしてもよい。すなわち、ダクト６１０側にも壁面６２０ｄを設けて、ダクト６２０そのもので、空気の流れを積極的に形成可能な概ねトンネル型の構造を持つ空洞を形成するようにしてもよい。この場合、ダクト６２０をダクト６１０に密着させる必要はない。
【００９８】
あるいは、図６（Ｂ）に示すように、マーキングユニット３２側の上面および両側の側面にそれぞれ壁面６２０ａ，６２０ｂ，６２０ｃを備えるのに対して、そのダクト６１０側の下面は開放された開口部６２０ｇを備える構造としてもよい。開口部６２０ｇは、両側の壁面６２０ｂ，６２０ｃのダクト６１０の壁面６１０ａ側の端部を壁面６１０ａとほぼ密着するように（密着するか、若しくは隙間ができるだけ小さくなるように近接して）配置することで、ダクト６１０のダクト６２０側の壁面６１０ａをダクト６２０の一部として構成するようにする。事実上、ダクト６１０と同様の構造となる。これにより、ダクト６２０の開口面がダクト６１０の壁面６１０ａで補完され、全体として、空気の流れを積極的に形成可能な概ねトンネル型の構造を持つ空洞が形成される。ダクト６１０とダクト６２０を一体的に成形しても良いのはもちろんである。
【００９９】
たとえば、図６（Ｃ１）に示す第１の配置例（基本形）においては、ダクト６２０の一方の端部（図では右側の開口部６２０ｅ）に、外気吸入用のファン６４０ａを、ダクト６２０内を流れる空気の上流側に配している。この場合、ファン６４０ａでダクト６２０内に吸引した空気を、ダクト６２０内を通して、さらにダクト６２０の他方の端部（図では左側の開口部６２０ｆ）から排出する。
【０１００】
なお、図６（Ｃ２）に示す第１の配置例（変形例）のように、ダクト６１０に対してファン６３０ａを設ける場合、１つのファン６５０ａがファン６３０ａ，６４０ａを兼ねるように構成してもよい。  一方、図６（Ｄ２）に示す第２の配置例（基本形）においては、ダクト６２０の他方の端部（図では左側の開口部６２０ｆ）に、空気排出用のファン６４０ｂを、ダクト６２０内を流れる空気の下流側に配している。この場合、ファン６４０ｂが設けられている端部とは反対側の端部（図では右側の開口部６２０ｅ）から外気をダクト６２０内に吸引し、ダクト６２０内を通して、さらにファン６３０ｂで排出する。
【０１０１】
また、図６（Ｄ２）に示す第２の配置例（変形例）のように、ダクト６１０に対してファン６３０ｂを設ける場合、１つのファン６５０ｂがファン６３０ｂ，６４０ｂを兼ねるように構成してもよい。
【０１０２】
さらに、図６（Ｅ１）に示す第３の配置例（基本形）ように、図６（Ｃ１）に示す第１の配置例（基本形）と図６（Ｄ１）に示す第２の配置例（基本形）とを組み合わせて、ダクト６２０の一方の端部（図では右側の開口部６２０ｅ）に外気吸入用のファン６４０ａを設け、またダクト６２０の他方の端部（図では左側の開口部６２０ｆ）に空気排出用のファン６４０ｂを設ける構成としてもよい。
【０１０３】
この場合にも、図６（Ｅ２）に示す第３の配置例（変形例）のように、ダクト６１０に対してファン６３０ａ，ファン６３０ｂを設ける場合、１つのファン６５０ａがファン６３０ａ，６４０ａを兼ねるように、また、１つのファン６５０ｂがファン６３０ｂ，６４０ｂを兼ねるように構成してもよい。
【０１０４】
なお、本例ではファン６４０（もしくは６５０）を設けているが、ダクト６２０の空洞内の空気の流れによる熱排出を利用して、片面印刷済み用紙や板状部材５１４からの熱を遮断するに当たっては、ファン６４０（もしくは６５０）を設けることは必須ではない。
【０１０５】
ダクト６２０の両端部に開口部６２０ｅ，６２０ｆが設けられる。この開口部６２０ｅ，６２０ｆを設けておくだけでも、自然にダクト６２０内を空気が流れるようになり、熱排出による断熱作用を得ることができるからである。
【０１０６】
＜第２実施形態；用紙反転搬送路＞
図７は、画像出力端末１の画像出力部３０の詳細構成例の第２実施形態の第２例を示す側断面図である。第２実施形態（第２例）の画像出力部３０は、両面複写ユニット３４における印刷済み用紙が搬送される再帰搬送路として、 第２実施形態（第１例）における両面搬送路５１０に代えて、用紙反転搬送路３６４をマーキングユニット３２の直下に備える点に特徴を有する。この点は、第１実施形態（第２例）と同様である。
【０１０７】
このような構成を前提として、第２実施形態（第２例）の画像出力部３０は、第１実施形態（第２例）と同様に、用紙反転搬送路３６４と転写ユニット３３０との間に形成される空間部分にダクト６１０を設けておき、さらに、第２実施形態（第１例）と同様に、ダクト６１０のさらにマーキングユニット３２（特に転写ユニット３３０）側に、転写・現像・帯電などの各ユニットの用紙熱による温度上昇の問題を改善する用紙熱対策手段の一例として用紙からの熱を断熱する機能をなす長尺状の第２のダクト６２０を設ける点に特徴を有する。
【０１０８】
この場合においても、ダクト６２０は、ダクト６１０と同様に、紙面の手前側と奥行き側に配される。すなわち、用紙反転搬送路３６４の用紙搬送方向に対して概ね直交するように配置される。
【０１０９】
また、第２実施形態（第２例）の画像出力部３０は、第２実施形態（第１例）と同様に、追加した長尺状のダクト６２０の何れか一方もしくは両方の端部には、必要に応じて、ダクト６２０内に空気の流れを積極的に形成して断熱機能を作用させるための強制対流手段としてファン６４０を備える。
【０１１０】
なお、第２実施形態（第１例）と同様に、第１実施形態で説明したダクト６１０に対してファン６３０を設ける場合、１つのファンがファン６３０，６４０を兼ねるように構成してもよい。
【０１１１】
ダクト６２０および用紙反転搬送路３６４との関係におけるファン６４０（あるいは６５０）の配置態様は、図６において括弧書きで示すように、再帰搬送路形成部材５１２を用紙反転搬送路３６４に置き換えたものと同様である。用紙反転機構３６０の用紙反転搬送路３６４並びにダクト６２０およびファン６４０（あるいは６５０）のなす作用効果は、第２実施形態（第１例）における場合と同様であるので、ここでは詳細な説明を割愛する。
【０１１２】
＜第３実施形態；両面搬送路＞
図８は、画像出力端末１の画像出力部３０の詳細構成例の第３実施形態の第１例を示す側断面図である。第３実施形態（第１例）の画像出力部３０は、両面複写ユニット３４における印刷済み用紙が搬送される再帰搬送路として両面搬送路５１０を備える構成において、第２実施形態（第１例）で設けていたダクト６１０を取り外し、断熱効果のみを目的としてダクト６２０に相当するダクト６２２のみを配置するようにした点に特徴を有する。ただしこの場合、ダクト６２２は、導風路の一例となる。
【０１１３】
また、第３実施形態（第１例）の画像出力部３０は、長尺状のダクト６２２の何れか一方もしくは両方の端部には、必要に応じて、ダクト６２２内に空気の流れを積極的に形成して放熱機能や断熱機能を作用させるための強制対流手段としてファン６４２を備える（詳細は後述する図９を参照）。
【０１１４】
ここで、「必要に応じて」とは、用紙からの熱で暖められるファン６４２内の空気を強制対流装置としてのファン６４２により排気することで、転写・現像・帯電などの各ユニットの用紙熱による温度上昇の問題を改善する用紙熱対策の効果を高めることを目的とする場合を意味する。
【０１１５】
＜ファンの配置例；第３実施形態＞
図９は、導風路（ダクト６２２）および再帰搬送路との関係におけるファン６４２の配置例を説明する図である。なお、図９では、再帰搬送路としての再帰搬送路形成部材５１２との関係だけでなく、後述する第３実施形態（第２例）において使用される用紙反転機構３６０の用紙反転搬送路３６４との関係についても括弧書きで示している。
【０１１６】
ダクト６２２は、これを構成する各壁面内に空洞を形成するようになっており、図９（Ａ）に示すように、マーキングユニット３２側の上面および両側の側面並びにダクト６１０側の下面にそれぞれ壁面６２２ａ，６２２ｂ，６２２ｃ，６２２ｄを備える。すなわち、再帰搬送路形成部材５１２を構成する板状部材５１４側にも壁面６２２ｄを設けて、ダクト６２２そのもので、空気の流れを積極的に形成可能な概ねトンネル型の構造を持つ導風路を形成するようにしている。
【０１１７】
板状部材５１４には、開口部５１６を設けておく必要はない。また、ダクト６２２を板状部材５１４に密着させる必要はない。これらの点は、対応する前述の第１実施形態（第１例）や第２実施形態（第１例）とは異なる。
【０１１８】
ダクト６２２は、片面印刷済み用紙や再帰搬送路形成部材５１２（詳細には板状部材５１４）とマーキングユニット３２（特に転写ユニット３３０）との間に配置されており、その内部の空気による熱遮断効果を利用することによって、片面印刷済み用紙や板状部材５１４（再帰搬送路形成部材５１２）の熱がマーキングユニット３２側に伝達されるのを防ぐ断熱作用を果たす。
【０１１９】
たとえば、図９（Ｂ）に示す第１の配置例においては、ダクト６２２の一方の端部（図では右側の開口部６２２ｅ）に、外気吸入用のファン６４２ａを、ダクト６２２内を流れる空気の上流側に配している。この場合、ファン６４２ａでダクト６２２内に吸引した空気を、ダクト６２２内を通して、さらにダクト６２２の他方の端部（図では左側の開口部６２２ｆ）から排出する。
【０１２０】
一方、図９（Ｃ）に示す第２の配置例においては、ダクト６２２の他方の端部（図では左側の開口部６２２ｆ）に、空気排出用のファン６４２ｂを、ダクト６２２内を流れる空気の下流側に配している。この場合、ファン６４２ｂが設けられている端部とは反対側の端部（図では右側の開口部６２２ｅ）から外気をダクト６２２内に吸引し、ダクト６２２内を通して、さらにファン６３０ｂで排出する。
【０１２１】
また、図９（Ｄ）に示す第３の配置例ように、図９（Ｂ）に示す第１の配置例と図９（Ｃ）に示す第２の配置例とを組み合わせて、ダクト６２２の一方の端部（図では右側の開口部６２２ｅ）に外気吸入用のファン６４２ａを設け、またダクト６２２の他方の端部（図では左側の開口部６２２ｆ）に空気排出用のファン６４２ｂを設ける構成としてもよい。
【０１２２】
図９（Ｂ）に示す第１の配置例、図９（Ｃ）に示す第２の配置例、および図９（Ｄ）に示す第３の配置例の何れにおいても、ファン６４２ａ，６４２ｂで強制的に吸引した外気をダクト６２２内に流す、つまり用紙搬送方向と垂直方向に冷却空気を流す。ダクト６２２内の空気そのものの熱遮断効果によって、ダクト６２２側に伝達される片面印刷済み用紙や板状部材５１４（再帰搬送路形成部材５１２）の熱がマーキングユニット３２側に伝達されるのを防ぐ。
【０１２３】
なお、本例ではファン６４２を設けているが、ダクト６２２内の空気の流れによる熱排出を利用して、片面印刷済み用紙や板状部材５１４からの熱を遮断するに当たっては、ファン６４２を設けることは必須ではない。
【０１２４】
ダクト６２２にはその長尺状の両端部に開口部６２２ｅ，６２２ｆが設けられる。この開口部６２２ｅ，６２２ｆを設けておくだけでも、自然にダクト６２２内を空気が流れるようになり、熱排出による断熱作用を得ることができるからである。
【０１２５】
またダクト６２２の端部に開口部６２２ｅ，６２２ｆを設けておくことも必須ではなく、壁面としてもよい。ダクト６２２内の空気によって断熱作用を得ることができるからである。ただしこの場合、その断熱作用によって内部温度が上昇し、その効果が低下する。
【０１２６】
＜第３実施形態；用紙反転搬送路＞
図１０は、画像出力端末１の画像出力部３０の詳細構成例の第３実施形態の第２例を示す側断面図である。第３実施形態（第２例）の画像出力部３０は、両面複写ユニット３４における印刷済み用紙が搬送される再帰搬送路として、 第３実施形態（第１例）における両面搬送路５１０に代えて、用紙反転搬送路３６４をマーキングユニット３２の直下に備える点に特徴を有する。この点は、第１実施形態（第２例）や第２実施形態（第２例）と同様である。
【０１２７】
このような構成を前提として、第３実施形態（第２例）の画像出力部３０は、第３実施形態（第１例）と同様に、第２実施形態（第２例）で設けていたダクト６１０を取り外し、断熱効果のみを目的としてダクト６２２のみを配置するようにした点に特徴を有する。ダクト６２２内の空気そのもので片面印刷済み用紙や再帰搬送路形成部材５１２の熱がマーキングユニット３２側に伝達されるのを防ぐ断熱作用のみを享受する構成である。
【０１２８】
用紙反転搬送路３６４には、開口部３６６を設けておく必要はない。また、ダクト６２２を用紙反転搬送路３６４に密着させる必要はない。これらの点は、対応する前述の第１実施形態（第２例）や第２実施形態（第２例）とは異なる。
【０１２９】
また、第３実施形態（第２例）の画像出力部３０は、第３実施形態（第１例）と同様に、長尺状のダクト６２２の何れか一方もしくは両方の端部には、必要に応じて、ダクト６２２内に空気の流れを積極的に形成して断熱機能を作用させるための強制対流手段としてファン６４２を備える。
【０１３０】
ダクト６２２および用紙反転搬送路３６４との関係におけるファン６４２の配置態様は、図９において括弧書きで示すように、再帰搬送路形成部材５１２を用紙反転搬送路３６４に置き換えたものと同様である。用紙反転機構３６０の用紙反転搬送路３６４並びにダクト６２２およびファン６４２のなす作用効果は、第３実施形態（第１例）における場合と同様であるので、ここでは詳細な説明を割愛する。
【図面の簡単な説明】
【０１３１】
【図１】本発明に係る画像形成装置の機能を具備した画像出力端末の全体概要を示す図である。
【図２】画像出力端末の画像出力部の詳細構成例の第１実施形態（第１例）を示す側断面図である。
【図３】第１実施形態において、第１の空洞部材および再帰搬送路との関係におけるファンの配置例を説明する図である。
【図４】画像出力端末の画像出力部の詳細構成例の第１実施形態（第２例）を示す側断面図である。
【図５】画像出力端末の画像出力部の詳細構成例の第２実施形態（第１例）を示す側断面図である。
【図６】第２実施形態において、第２の空洞部材および再帰搬送路との関係におけるファンの配置例を説明する図である。
【図７】画像出力端末の画像出力部の詳細構成例の第２実施形態（第２例）を示す側断面図である。
【図８】画像出力端末の画像出力部の詳細構成例の第３実施形態（第１例）を示す側断面図である。
【図９】第３実施形態において、第１の空洞部材および再帰搬送路との関係におけるファンの配置例を説明する図である。
【図１０】画像出力端末の画像出力部の詳細構成例の第３実施形態（第２例）を示す側断面図である。
【符号の説明】
【０１３２】
１…画像出力端末、１０…画像読取部、１２…ドキュメントフィーダ、１５…ユーザインタフェース部、２０…コントローラ部、２４…電装基板ユニット、２６…基板収納筐体、３０…画像出力部、３１０…感光体ユニット、３１２…感光体ドラム、３１４…帯電器、３１６…書込走査ユニット、３２…マーキングユニット、３２０…現像ユニット、３３…定着ユニット、３３０…転写ユニット、３３２…転写部、３４…両面複写ユニット、３４０…清掃ユニット、３５０…搬送経路切替部、３５２…搬送ベルト、３５６…切替えレバー、３５８…搬送ローラ、３６…排紙ユニット、３６０…用紙反転機構、３６２…用紙案内部、３６４…用紙反転搬送路、３６６…開口部、３６８…搬送ローラ、３７０…再給紙路、３７８…搬送ローラ、４１０…給紙搬送路、４１２…給紙搬送ベルト、４１８…搬送ローラ、５１０…両面搬送路、５１２…再帰搬送路形成部材、５１４…板状部材、５１６…開口部、５１８…搬送ローラ、５２０…合流部、６１０…ダクト（第１の空洞部材）、６１０ｄ…開口部、６２０…ダクト（第２の空洞部材）、６２０ｇ…開口部、６２２…ダクト（第１の空洞部材）、６３０，６４０，６４２、６５０…ファン、８０…給紙部、８２…給紙トレイ、８３…手差しトレイ、９０…接続ケーブル
【図１】
2008170695.tif 000003
【図２】
2008170695.tif 000004
【図４】
2008170695.tif 000005
【図５】
2008170695.tif 000006
【図６】
2008170695.tif 000007
【図７】
2008170695.tif 000008
【図８】
2008170695.tif 000009
【図９】
2008170695.tif 000010
【図１０】
2008170695.tif 000011
【図３】
2008170695.tif 000012